(57)【特許請求の範囲】
【請求項１】
鞄等の被装飾物に取り付け可能なアクセサリーであって、
着物の帯をひと結びした状態におけるたれに対応する、略長方形状のシート状物である１つのたれ部と、着物の帯をひと結びした状態における手に対応する、前記たれ部の長辺よりも長辺が短い略長方形状のシート状物で、一方の短辺が該たれ部の一方の短辺と連結される１つの手部とを有する装飾部と、
前記たれ部と前記手部との境界部分の近傍に配され、前記装飾部を前記被装飾物に着脱自在に取り付けるための取付部と、
を備え、
前記装飾部は、一方の端部が前記たれ部の一方の長辺の前記境界部分の近傍に固定され、他方の端部が前記たれ部の他方の長辺の前記境界部分の近傍に固定される第一紐部と、前記たれ部の一方の長辺の前記境界部分の近傍に固定されるボタンと、一方の端部が、前記たれ部において、前記ボタンが固定されていない側の長辺の前記境界部分の近傍に固定され、他方の端部に前記ボタンと係合する第二ボタンホールを有する第二紐部と、一方の端部が、前記たれ部において、前記ボタンが固定されていない側の長辺の前記境界部分の近傍に固定され、他方の端部に前記ボタンと係合する第三ボタンホールを有する第三紐部とからなる仮紐部を備え、前記たれ部をたれに前記手部を手にそれぞれ見立てることにより、着物の帯と同様の方法で結べるよう構成されたアクセサリー。
【請求項２】
鞄等の被装飾物に取り付け可能なアクセサリーであって、
着物の帯をひと結びした状態におけるたれに対応する、略長方形状のシート状物である１つのたれ部と、着物の帯をひと結びした状態における手に対応する、前記たれ部の長辺よりも長辺が短い略長方形状のシート状物で、一方の短辺が該たれ部の一方の短辺と連結される１つの手部とを有する装飾部と、
前記たれ部と前記手部との境界部分の近傍に配され、前記装飾部を前記被装飾物に着脱自在に取り付けるための取付部と、
を備え、
前記装飾部は、一方の端部が前記たれ部の一方の長辺の前記境界部分の近傍に固定され、他方の端部が前記たれ部の他方の長辺の前記境界部分の近傍に固定される第一紐部と、前記たれ部の短辺の略中央の前記境界部分の近傍に固定されるボタンと、一方の端部が、前記たれ部の短辺の略中央の前記境界部分の近傍に固定され、他方の端部に前記ボタンと係合する第二ボタンホールを有する第二紐部と、一方の端部が、前記たれ部の短辺の略中央の前記境界部分の近傍に固定され、他方の端部に前記ボタンと係合する第三ボタンホールを有する第三紐部とからなる仮紐部を備え、前記たれ部をたれに前記手部を手にそれぞれ見立てることにより、着物の帯と同様の方法で結べるよう構成されたアクセサリー。
【請求項３】
鞄等の被装飾物に取り付け可能なアクセサリーであって、
略長方形状のシート状物を長辺方向に二分してなり、着物の帯をひと結びした状態におけるたれに対応する、長辺が長い方の部材である１つのたれ部と、着物の帯をひと結びした状態における手に対応する、長辺が短い方の部材である１つの手部とを有する装飾部と、
前記たれ部と前記手部との境界部分の近傍に配され、前記装飾部を前記被装飾物に着脱自在に取り付けるための取付部と、
を備え、
前記装飾部は、一方の端部が前記たれ部の一方の長辺の前記境界部分の近傍に固定され、他方の端部が前記たれ部の他方の長辺の前記境界部分の近傍に固定される第一紐部と、前記たれ部の一方の長辺の前記境界部分の近傍に固定されるボタンと、一方の端部が、前記たれ部において、前記ボタンが固定されていない側の長辺の前記境界部分の近傍に固定され、他方の端部に前記ボタンと係合する第二ボタンホールを有する第二紐部と、一方の端部が、前記たれ部において、前記ボタンが固定されていない側の長辺の前記境界部分の近傍に固定され、他方の端部に前記ボタンと係合する第三ボタンホールを有する第三紐部とからなる仮紐部を備え、前記たれ部をたれに前記手部を手にそれぞれ見立てることにより、着物の帯と同様の方法で結べるよう構成されたアクセサリー。
【請求項４】
鞄等の被装飾物に取り付け可能なアクセサリーであって、
略長方形状のシート状物を長辺方向に二分してなり、着物の帯をひと結びした状態におけるたれに対応する、長辺が長い方の部材である１つのたれ部と、着物の帯をひと結びした状態における手に対応する、長辺が短い方の部材である１つの手部とを有する装飾部と、
前記たれ部と前記手部との境界部分の近傍に配され、前記装飾部を前記被装飾物に着脱自在に取り付けるための取付部と、
を備え、
前記装飾部は、一方の端部が前記たれ部の一方の長辺の前記境界部分の近傍に固定され、他方の端部が前記たれ部の他方の長辺の前記境界部分の近傍に固定される第一紐部と、前記たれ部の短辺の略中央の前記境界部分の近傍に固定されるボタンと、一方の端部が、前記たれ部の短辺の略中央の前記境界部分の近傍に固定され、他方の端部に前記ボタンと係合する第二ボタンホールを有する第二紐部と、一方の端部が、前記たれ部の短辺の略中央の前記境界部分の近傍に固定され、他方の端部に前記ボタンと係合する第三ボタンホールを有する第三紐部とからなる仮紐部を備え、前記たれ部をたれに前記手部を手にそれぞれ見立てることにより、着物の帯と同様の方法で結べるよう構成されたアクセサリー。
【請求項５】
請求項１〜４のいずれか一に記載のアクセサリーであって、
前記たれ部及び前記手部が、着物の帯の生地、又は、着物の生地からなるアクセサリー。
【請求項６】
請求項１〜５のいずれか一に記載のアクセサリーであって、
前記第一紐部は、
第一ゴム紐と、
前記第一ゴム紐を通す１つの第一紐通部を有し、前記第一ゴム紐を覆うよう取り付けられる第一覆部と、
からなり、
前記第二紐部は、
第二ゴム紐と、
前記第二ゴム紐を通す並列する２つの第二紐通部を有し、前記第二ゴム紐の両端部が前記たれ部に固定された状態で、前記第二ゴム紐が前記第二ボタンホールとなる輪形状を形成するように、且つ、前記第二ゴム紐を覆うよう取り付けられる第二覆部と、
からなり、
前記第三紐部は、
第三ゴム紐と、
前記第三ゴム紐を通す並列する２つの第三紐通部を有し、前記第三ゴム紐の両端部が前記たれ部に固定された状態で、前記第三ゴム紐が前記第三ボタンホールとなる輪形状を形成するように、且つ、前記第三ゴム紐を覆うよう取り付けられる第三覆部と、
からなるアクセサリー。
【発明の詳細な説明】
【技術分野】
【０００１】
本発明は、日本の民族衣装である着物の帯の美しさを備えるアクセサリーに関する。
【背景技術】
【０００２】
着物は日本の民族衣装であり、現在でも、お宮参りや七五三、成人式等の催し物の際には着用される。このような着物を着用する際に使用される帯は、その生地の美しさだけでなく、結ばれた際の立体的なデザインにも美しさを備える。
【０００３】
しかしながら、現在、日常的に着物を着用する人は少なくなっており、ひいては、着物の帯を使用する機会も少なくなっている。その原因としては、主として、（１）一般に着物が洋服に比べ高額であること、（２）正しく、美しく着用するためには、一定の技術が必要であることの２つが考えられる。
【０００４】
（１）は、着物の需要者の購買意欲に影響しており、例えば、前述の催し物の際にも、着物を購入するのではなく、着物のレンタルサービスを利用する人や家庭が増えている。このように、催し物の際に着物をレンタルする人は、当然、日常的に着物を着用することはない。
【０００５】
また、（２）により、着物の着用者、又は、着用者の身近な人に、着付けができる人がいない場合があり、例えば、催し物の際には、料金を支払って、専門家に着付けをしてもらうことが多い。このような場合、仮に、着物を所有している場合、または、親等から着物を借りられる状態にある場合だったとしても、着付けにお金がかかる以上、日常的に着物を着用することはない。逆に、着付けを習得すれば、日常的に着物を着用できるようになるとも考えられるが、例えば、着付け教室に通い着付けを教えて貰う場合、複数の帯の結び方を習得するには何度も通う必要があったり、費用がかかったりする。
【０００６】
一方、観光地においては、着物をレンタルし、着付けを行う店が、外国人観光客に人気があり、着物の帯が使用される機会がある。ただし、これも一時的なものであり、前述の、着物の着用が困難であり、着物が高額であるという問題から、外国人観光客が、例えば、お土産や旅の記念として着物や着物の帯を購入し、帰国後に、日常的に使用するということはほとんどない。
【０００７】
これに対し、例えば、特許文献１に開示されているように、着物の帯をリメイクしてなるハンドバックの技術が提案されている。この技術によれば、着物の帯をハンドバックにリメイクしたことで、着用の必要がなく、また、着物一式を揃えるのに比べ価格が安くなるため、着物の帯を日常的に使用しやすくなる。また、ハンドバックであれば外国人観光客もお土産や旅の記念として手軽に購入しやすい。
【先行技術文献】
【特許文献】
【０００８】
【特許文献１】実用新案登録第３１６９９０６号公報
【発明の概要】
【発明が解決しようとする課題】
【０００９】
しかしながら、特許文献１に開示されるような技術は、単に、着物の帯を生地として再利用したものである。つまり、この技術に係るハンドバックは、着物の帯の生地の美しさを備えることはできるものの、着物の帯が結ばれた際の立体的なデザインの美しさを備えるものではない。言い換えると、この技術に係るハンドバックは、着物の帯本来の美しさを完全に備えるものではない。そのため、例えば、前述の外国人観光客のような、着物の帯本来の美しさに惹かれた人の要望を満たすものではなかった。
【００１０】
本発明は、従来のこのような問題点に鑑みてなされたものである。本発明の目的の一は、日本の民族衣装である着物の帯本来の美しさを備え、日常的に使用可能なアクセサリーを提供することにある。
【課題を解決するための手段及び発明の効果】
【００１１】
本発明の第１の側面に係るアクセサリーによれば、鞄等の被装飾物に取り付け可能なアクセサリーであって、略長方形状のシート状物であるたれ部と、該たれ部の長辺よりも長辺が短い略長方形状のシート状物で、一方の短辺が該たれ部の一方の短辺と連結される手部とを有する装飾部と、前記たれ部と前記手部との境界部分の近傍に配され、前記装飾部を前記被装飾物に着脱自在に取り付けるための取付部とを備えることができる。
【００１２】
また、本発明の第２の側面に係るアクセサリーによれば、鞄等の被装飾物に取り付け可能なアクセサリーであって、略長方形状のシート状物を長辺方向に二分してなり、長辺が長い方の部材であるたれ部と、長辺が短い方の部材である手部と、前記たれ部と前記手部とを有する装飾部と、前記たれ部と前記手部との境界部分の近傍に配され、前記装飾部を前記被装飾物に着脱自在に取り付けるための取付部とを備えることができる。
【００１３】
前記構成により、装飾部は、着物の帯の結び方と同様の方法で結ぶことができるので、アクセサリーは、日本の民族衣装である着物の帯本来の美しさを備えることができ、また、１つのアクセサリーでありながら多様なデザインのアクセサリーとして使用できる。また、構造がシンプルなため、低廉に製造できる。このため、手軽に着物の帯の結び方を練習することができるツールとしても使用できる。
【００１４】
さらにまた、本発明の第３の側面に係るアクセサリーによれば、前記たれ部及び前記手部を、着物の帯の生地、又は、着物の生地で作ることができる。前記構成により、日本の伝統や文化をより強く感じることができる。また、着物の帯の結び方を練習するツールとして使用する場合には、実際に着物の帯を結ぶ際と近い感覚を得ることができる。
【００１５】
さらにまた、本発明の第４の側面に係るアクセサリーによれば、前記装飾部は、前記境界部分の近傍に配され、１又は複数の紐状物を有する仮紐部を備えることができる。
【００１６】
さらにまた、本発明の第５の側面に係るアクセサリーによれば、前記仮紐部は、一方の端部が前記たれ部の一方の長辺の前記境界部分の近傍に固定され、他方の端部が前記たれ部の他方の長辺の前記境界部分の近傍に固定される第一紐部と、前記たれ部の一方の長辺の前記境界部分の近傍に固定されるボタンと、一方の端部が、前記たれ部において、前記ボタンが固定されていない側の長辺の前記境界部分の近傍に固定され、他方の端部に前記ボタンと係合する第二ボタンホールを有する第二紐部と、一方の端部が、前記たれ部において、前記ボタンが固定されていない側の長辺の前記境界部分の近傍に固定され、他方の端部に前記ボタンと係合する第三ボタンホールを有する第三紐部とで構成できる。
【００１７】
さらにまた、本発明の第６の側面に係るアクセサリーによれば、前記仮紐部は、一方の端部が前記たれ部の一方の長辺の前記境界部分の近傍に、他方の端部が前記たれ部の他方の長辺の前記境界部分の近傍に固定される第一紐部と、前記たれ部の短辺の略中央の前記境界部分の近傍に固定されるボタンと、一方の端部が、前記たれ部の短辺の略中央の前記境界部分の近傍に固定され、他方の端部に前記ボタンと係合する第二ボタンホールを有する第二紐部と、一方の端部が、前記たれ部の短辺の略中央の前記境界部分の近傍に固定され、他方の端部に前記ボタンと係合する第三ボタンホールを有する第三紐部とで構成できる。
【００１８】
さらにまた、本発明の第７の側面に係るアクセサリーによれば、前記第一紐部は、第一ゴム紐と、前記第一ゴム紐を通す１つの第一紐通部を有し、前記第一ゴム紐を覆うよう取り付けられる第一覆部とからなり、前記第二紐部は、第二ゴム紐と、前記第二ゴム紐を通す並列する２つの第二紐通部を有し、前記第二ゴム紐の両端部が前記たれ部に固定された状態で、前記第二ゴム紐が前記第二ボタンホールとなる輪形状を形成するように、且つ、前記第二ゴム紐を覆うよう取り付けられる第二覆部とからなり、前記第三紐部は、第三ゴム紐と、前記第三ゴム紐を通す並列する２つの第三紐通部を有し、前記第三ゴム紐の両端部が前記たれ部に固定された状態で、前記第三ゴム紐が前記第三ボタンホールとなる輪形状を形成するように、且つ、前記第三ゴム紐を覆うよう取り付けられる第三覆部とからなるよう構成できる。
【００１９】
前記構成により、着物の帯を結ぶ際に用いられる補助具と同じように使用できる仮紐部を備えるため、装飾部を結ぶ難易度を下げることができる。特に、仮紐部は、三重仮紐と同じように使用できるので、「変わり結び（飾り結び）」の難易度も下げることができる。また、仮紐部を備えるため、別途、仮紐や三重仮紐、輪ゴム、クリップ等を用意する必要がない。言い換えると、別途、道具を用意することなく、装飾部を様々な着物の帯の結び方で結ぶことができ、様々な装飾を形成できる。また、他の部材と一体化しているため、紛失することがなく、保管が容易である。
【図面の簡単な説明】
【００２０】
【図１】本発明に係るアクセサリーの構成図である。
【図２】本発明に係るアクセサリーの構成図である。
【図３】たれ部及び手部の他の実施形態の説明図である。
【図４】第一紐部の構成図である。
【図５】第二紐部及び第三紐部の構成図である。
【図６】仮紐部の使い方の説明図である。
【図７】仮紐部の使い方の説明図である。
【図８】仮紐部の使い方の説明図である。
【図９】仮紐部の使い方の説明図である。
【図１０】仮紐部の他の実施形態の説明図である。
【図１１】取付部の使い方の説明図である。
【図１２】装飾部の結び方を説明するフローチャートである。
【図１３】装飾部を様々な着物の帯の結び方で結んだ際の装飾の形状の説明図である。
【発明を実施するための形態】
【００２１】
以下、本発明の実施の形態を図面に基づいて説明する。ただし、以下に示す実施の形態は、本発明の技術思想を具体化するためのアクセサリーを例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（アクセサリー１）
【００２２】
本発明の一実施の形態に係るアクセサリー１について、図１〜１３に基づいて説明する。
【００２３】
アクセサリー１は、図１及び図２に示すように、装飾部２と取付部３とで構成される。このように、アクセサリー１は、シンプルな構成であるため、低廉に製造することができる。また、アクセサリー１は、装飾部２を着物の帯の結び方と同様の方法で結ぶことで様々な形状の装飾を形成でき、取付部３によって鞄等の被装飾物に着脱自在に取り付けることができる。以下で各部材について説明する。
（装飾部２）
【００２４】
装飾部２は、図１及び図２に示すように、たれ部２１、手部２２、仮紐部２３及び連結部２４（特許請求の範囲における「境界部分」の一例に対応する。）とで構成される。すなわち、装飾部２は、着物の帯をひと結びした状態を模した態様となっており、たれ部２１及び手部２２は、それぞれ、着物の帯をひと結びした際の「たれ」及び「手」に対応する。また、仮紐部２３は、着物の帯を結ぶ際に用いられる「仮紐」等（詳細は後述する。）に対応する。
【００２５】
この構成により、装飾部は、着物の帯の結び方と同様の方法で結ぶことができるので、アクセサリーは、日本の民族衣装である着物の帯本来の美しさを備えることができ、また、１つのアクセサリーでありながら多様なデザインのアクセサリーとして使用できる。また、構造がシンプルなため、低廉に製造できる。このため、手軽に着物の帯の結び方を練習することができるツールとしても使用できる。
（たれ部２１、手部２２）
【００２６】
たれ部２１は、例えば、長辺１３３ｃｍ、短辺１５ｃｍの長方形状の布を短手方向の半分の位置で２つに折り畳まれてなり、外観が長辺１３３ｃｍ、短辺７．５ｃｍの長方形状の部材である。一方、手部２２は、例えば、長辺３０ｃｍ、短辺１５ｃｍの長方形状の布を短手方向の半分の位置で２つに折り畳まれてなり、外観が長辺３０ｃｍ、短辺７．５ｃｍの長方形状の部材である。たれ部２１の一方の短辺と、手部２２の一方の短辺とは、連結部２４を介して連結される。
【００２７】
なお、たれ部２１及び手部２２の寸法は上記のものに限定されず、被装飾物の大きさや取付部３の取り付け強度等に応じて、適宜変更してもよい（ただし、長辺が長い方がたれ部２１、長辺が短い方が手部２２と定義される。）。また、たれ部２１及び手部２２は、必ずしも、２つに折り畳まれる態様でなくてもよい。さらにまた、形状も長方形に限定されず、例えば、図３に示すように、たれ部２１及び手部２２の連結部２４から遠い方の短辺が、長辺に対して非垂直に設けられていてもよいし、曲線状や多角線状に形成されていてもよい。すなわち、一方向に長い帯形状であればよい（特許請求の範囲における「略長方形状」とは、前述の形状を含むものである。）。
【００２８】
また、たれ部２１及び手部２２の布は特に限定されないが、日本の伝統や文化をより強く感じることができるという点で着物の帯の生地、又は、着物の生地が好適である。さらに、着物の帯の結び方を練習するツールとして使用する場合（詳細は後述する。）には、実際に着物の帯を結ぶ際と近い感覚が得られるため、着物の帯の生地がより好ましい。また、例えば、お宮参りや七五三、成人式の際に購入・使用したものの、再度使用する機会がなく、保管されたままになっている着物の帯等の思い出の品を、日常的に使用できるようにアクセサリー１にリメイクすることも可能である。
（仮紐部２３）
【００２９】
仮紐部２３は、第一紐部２３１、第二紐部２３２、第三紐部２３３及びボタン２３４とからなり、連結部２４に取り付けられ、一般的な着物の帯を結ぶ際に、補助具として用いられる仮紐や輪ゴム、クリップ等と同じように使用できる。また、一般的な着物の帯で、例えば、花を模したような複雑な形状に着物の帯を結ぶ（一般的に「変わり結び」や「飾り結び」と呼ばれる方法）際には、仮紐の一部が三重になった「三重仮紐」を用いることで、容易に行うことができる。仮紐部２３は、三重仮紐と同じように使用できるので、「変わり結び（飾り結び）」の難易度も下げることができる。また、仮紐部２３は、他の部材と一体化しているため保管が容易である。
（第一紐部２３１）
【００３０】
第一紐部２３１は、図４に示すように、第一ゴム紐２３１ａと第一覆部２３１ｂとからなり、図１に示すように、たれ部２１の長辺と平行な連結部２４の両辺間に架設される。第一覆部２３１ｂは、図４に示すように、布が筒状に形成されてなる部材であって、中空部分（特許請求の範囲における「第一紐通部」の一例に対応する。）に第一ゴム紐２３１ａが通されることで、第一ゴム紐２３１ａを覆うように取り付けられる。なお、第一覆部２３１ｂの布は特に限定されないが、たれ部２１及び手部２２と同じ布を用いることが好ましい。この態様であれば、アクセサリー１の装飾部２を結び終わった後に第一紐部２３１が目立ちにくくできる。一般的な着物の帯を結ぶ際に用いられる三重仮紐は、通常の仮紐と異なり、着物の帯を結び終わった後に取り外すことができないため、外観に現れないように用いる必要がある。つまり、三重仮紐を用いた帯の結び方には一定の制限が生じるが、たれ部２１及び手部２２と同じ布を用いた第一紐部２３１であれば、前述の制限が生じない。
（第二紐部２３２、第三紐部２３３）
【００３１】
第二紐部２３２は、図５に示すように、第二ゴム紐２３２ａと第二覆部２３２ｂとからなる。また、第三紐部２３３は第二紐部２３２と同一の部材であって、第三ゴム紐２３３ａは第二ゴム紐２３２ａに、第三覆部２３３ｂは第二覆部２３２ｂに対応する。以下では、第二紐部２３２の説明を行い、第三紐部２３３の説明は省略する。
【００３２】
第二覆部２３２ｂは、図５に示すように、布が筒状に形成され、さらに、断面が略８の字状となるよう縫い目が設けられてなる部材であり、２つの中空部分（特許請求の範囲における「第二紐通部（第三紐通部）」の一例に対応する。）を有する。第二覆部２３２ｂは、この２つの中空部分に第二ゴム紐２３２ａが通されることで、第二ゴム紐２３２ａを覆うように取り付けられる。また、図１に示すように、第二ゴム紐２３２ａの両端が、たれ部２１の長辺と平行な連結部２４の辺のうちいずれか一方の辺（図１においては、左側の辺）に固定される。これにより、第二紐部２３２は、一方の端部（以下、「固定端」と称す。）が連結部２４に固定され、他方の端部に第二ゴム紐２３２ａによる輪形状部（特許請求の範囲における「第二ボタンホール（第三ボタンホール）」の一例に対応する。）を有する部材となる。また、第二覆部２３２ｂは、第二ゴム紐２３２ａに沿ってスライド移動させることができ、第二紐部２３２の用途に応じて使い分けることができる（詳細は後述する。）。なお、第二覆部２３２ｂ及び第三覆部２３３ｂの布は特に限定されないが、第一覆部２３１ｂと同様の理由から、たれ部２１及び手部２２と同じ布を用いることが好ましい。
（ボタン２３４）
【００３３】
ボタン２３４は、図１に示すように、第二紐部２３２及び第三紐部２３３の固定端が固定される連結部２４の辺と対向する辺（図１においては、左側の辺）に固定される。第二紐部２３２及び第三紐部２３３の輪形状部は、ボタン２３２と係合することで、たれ部２１の長辺と平行な連結部２４の両辺間に架設された状態となる。なお、ボタン２３４の形状や材質、柄、色等は特に限定されないが、たれ部２１及び手部２２の布と類似の色や柄にすることで、アクセサリー１の装飾部２を結び終わった後に第一紐部２３１が目立ちにくくできる。
（仮紐部２３の使い方）
【００３４】
仮紐部２３は、
（イ）たれ部２１又は手部２２を第一紐部２３１と連結部２４とで挟み、仮止め又は固定する用途（図６参照）、
（ロ）第二覆部２３２ｂ（第三覆部２３３ｂ）を第二ゴム紐２３２ａ（第三ゴム紐２３３ａ）に沿って輪形状部側にスライド移動させ、たれ部２１又は手部２２を第二紐部２３２（第三紐部２３３）の固定端側の第二ゴム紐２３２ａ（第三ゴム紐２３３ａ）の間に通し、仮止め又は固定する用途（図７参照）、
（ハ）第二覆部２３２ｂ（第三覆部２３３ｂ）を第二ゴム紐２３２ａ（第三ゴム紐２３３ａ）に沿って固定端側にスライド移動させ、たれ部２１又は手部２２を第二紐部２３２（第三紐部２３３）の輪形状部に通し、仮止め又は固定する用途（図８参照）、
（ニ）たれ部２１又は手部２２を第二紐部２３２（第三紐部２３３）と第一紐部２３１（第二紐部２３２）とで挟み、輪形状部とボタン２３４とを係合させることで仮止め又は固定する用途（図９参照）、
で使用することができる。すなわち、仮紐部２３には、大別して４つの使い方があり、これらを使い分けて使用することで、様々な形状の装飾を形成できる。
（仮紐部２３'：仮紐部の他の実施形態）
【００３５】
また、本発明に係る仮紐部は、前述の態様に限定されず、適宜変更することが可能である。
例えば、図１０に示すように、第二紐部２３２及び第三紐部２３３の固定端が、連結部２４のたれ部２１の長辺と直交する連結部２４の辺の略中央に固定され、この固定箇所の近傍にボタン２３４を備える態様であってもよい。
【００３６】
仮紐部２３と仮紐部２３'との態様の差は、用途（二）として使用した際に現れる。具体的には、仮紐部２３と仮紐部２３'とを用途（二）として使用した場合、たれ部２１又は手部２２は、第二紐部２３２（第三紐部２３３）と直交する態様で仮止め又は固定されることとなる。すなわち、仮紐部２３の場合、図１における上下方向にたれ部２１又は手部２２が仮止め又は固定され、仮紐部２３の場合、図１０における左右方向にたれ部２１又は手部２２が仮止め又は固定される。これにより、装飾部２の結び方に応じて仮紐部を使い分けることができる。
【００３７】
なお、アクセサリー１は、必ずしも仮紐部２３を備える必要はなく、仮紐等を別途用意してもよい。また、第一紐部２３１、第二紐部２３２及び第三紐部２３３のうち、いずれか一又は２を備える態様であってもよいし、第一紐部２３１を複数備える態様であってもよい。
（連結部２４）
【００３８】
連結部２４は、図１に示すように、たれ部２１と手部２２とを間接的に連結し、仮紐部２３を固定するための部材である。なお、アクセサリー１は、必ずしも連結部２４を設ける必要はなく、たれ部２１と手部２２とを直接的に連結する態様にしてもよいし、長方形の１枚の布を短辺と平行に折り畳み、この折り目を境界に、長い方をたれ部２１、短い方を手部２２とする態様にしてもよい。前者の場合は、たれ部２１と手部２２との連結部分が特許請求の範囲における「境界部分」に対応し、後者の場合は、折り目が特許請求の範囲における「境界部分」に対応する。また、これらの場合、第一紐部２３１、第二紐部２３２、第三紐部２３３及びボタン２３４は、たれ部２１に固定される。
（取付部３）
【００３９】
取付部３は、図２に示すように、連結部に取り付けられる部材であって、２対の面ファスナーを有する。アクセサリー１は、例えば、図１１に示すように、鞄の持ち手に巻き付け、対になる面ファスナー同士を貼着させることで鞄に取り付けることができる。なお、取付部３の態様は前述のものに限定されず、取付方法や大きさ等、適宜変更してもよい。例えば、取付部３を安全ピンやクリップに代えることで、アクセサリー１をブローチとして使うことができる。すなわち、取付部３の態様を適宜変更することで、様々な被装飾物に取り付けることができるようになる。
（アクセサリー１の使用方法）
【００４０】
前述の通り、アクセサリー１は装飾部２を着物の帯の結び方と同様の方法で結ぶことで様々な形状の装飾を形成でき、取付部３によって鞄等の被装飾物に着脱自在に取り付けることができる。また、アクセサリー１は、そのサイズを適宜変更することができるので、被装飾物に応じて、適したサイズにすることが好ましい。例えば、比較的大きな、ハンドバッグやリュックサックに取り付ける際には、アクセサリー１のサイズを大きくし、また、比較的小さな、ショルダーバックやハンドポーチ、ウエストポーチに取り付ける際には、アクセサリー１のサイズを小さくすることができる。また、被服や帽子、靴、髪留め、携帯電話等に、ワンポイントの装飾として取り付ける際には、さらにサイズを小さくすることもできる。さらにまた、簡易に着物を着ることができる商品として腰に巻く部分と飾り部分とできた帯（一般的に、作り帯や結び帯と呼ばれている。）が市場に流通しているが、アクセサリー１を実際の帯と同じサイズにすれば、前述の飾り部分として使用することもできる（すなわち、特許請求の範囲における被装飾物には、作り帯（結び帯）の腰に巻く部分も含まれる。）腰に巻く部分を装飾するアクセサリーとして）。一般的な作り帯（結び帯）の飾り部分は、形状を変えることができないため、異なる形状の帯を使用したい場合は、異なる作り帯（結び帯）を用意する必要があるが、アクセサリー１は、様々な形状の装飾を形成できるので好適に使用できる。このように、アクセサリー１は様々な被装飾物のアクセサリー（装飾品）として使用することができる。
【００４１】
また、アクセサリー１を用いれば、日本の伝統や文化をより強く感じられるような使用方法も可能である。例えば、リュックサックの上部に、大きめのアクセサリー１を取り付けると、装飾部２の位置が、実際に着物を着た際の帯の位置と、ほぼ同じになるため、実際に着物の帯を着けたような感覚を味わうことができる。このため、催し物の際に着物を着た人や、日本に旅行に来て着物を着た外国人が、アクセサリー１を前述のように使用すれば、思い出話を盛り上げるような効果も期待できる。また、逆に、催し物の際に着物を着られなかった人や、着物を着る機会がない外国人が、アクセサリー１を前述のように使用すれば、簡易的に、日本の伝統や文化を体験できる。
【００４２】
さらにまた、アクセサリー１は、シンプルな構成であるため、低廉に製造する。このため、実際の着物を用いての練習や、着付け教室に通うよりも手軽に、着物の帯の結び方を練習するツールとして使用することができ、ひいては、着物の帯の結び方の技術、そのものの継承にも貢献できる。また、練習後には、当然、アクセサリーとして使用することができる。
（装飾部２の結び方）
【００４３】
装飾部２は、着物の帯の結び方と同様の方法で結ぶことができ、結び方に応じて、様々な形状の装飾を形成できる。以下では、結び方の一例として、図１２のフローチャートに基づいて、装飾部を結び、装飾を形成する方法を説明する。
【００４４】
まず、ステップＳＴ１０１で、たれ部２１の先端をたれ部２１に対して斜めに蛇腹折りし、ステップＳＴ１０２で、該蛇腹折り部分の先端を第二紐部２３２の固定端側の第二ゴム紐２３２ａの間に通して固定し、該蛇腹折り部分で輪を形成する。
【００４５】
次に、ステップＳＴ１０３で、該蛇腹折り部分を第二紐部２３２と第一紐部２３１とで挟み、輪形状部とボタン２３４とを係合させることで固定する。
【００４６】
次いで、ステップＳＴ１０４で、たれ部２１のステップＳＴ１０３で固定していない部分のうち半分を第一紐部２３１と連結部２４とで挟んで固定し、ステップＳＴ１０５で、たれ部２１のもう半分を第三紐部２３３と第二紐部２３２とで挟み、輪形状部とボタン２３４とを係合させることで固定する。
【００４７】
最後に、ステップＳＴ１０６で、手部２２の先端を蛇腹折りし、第三紐部２３３と第二紐部２３２とで挟んで固定し、全体的に形を整えることで完成する。
【００４８】
その他、装飾部２を様々な方法で結ぶことで、図１３に示すような様々な装飾を形成できる。
【００４９】
以上説明したように、本発明に係るアクセサリーは、以下の点で特に優れている。
（１）装飾部は、着物の帯の結び方と同様の方法で結ぶことができるので、日本の民族衣装である着物の帯本来の美しさを備えることができる。
（２）１つのアクセサリーでありながら多様なデザインのアクセサリーとして使用できる。
（３）構造がシンプルなため、低廉に製造できる。このため、手軽に着物の帯の結び方を練習することができるツールとしても使用できる。
（４）仮紐部を備えることで、装飾部を結ぶ難易度（特に「変わり結び（飾り結び）」を行う場合）を下げることができる。
（５）仮紐部が他の部材と一体化しているため、保管が容易である。
【００５０】
このことから、本発明に係るアクセサリーは、着物の帯を通して、日本の伝統や文化を伝えていくこと、また、外国人に日本の伝統や文化を広めていくことに寄与することができる。
【符号の説明】
【００５１】
１…アクセサリー
２…装飾部
２１…たれ部
２２…手部
２３…仮紐部
２３１…第一紐部；２３１ａ…第一ゴム紐；２３１ｂ…第一覆部
２３２…第二紐部；２３２ａ…第二ゴム紐；２３２ｂ…第二覆部
２３３…第三紐部；２３３ａ…第三ゴム紐；２３３ｂ…第三覆部
２３４…ボタン
２４…連結部
３…取付部
【要約】
【課題】日本の民族衣装である着物の帯本来の美しさを備え、日常的に使用可能なアクセサリーを提供する。
【解決手段】鞄等の被装飾物に取り付け可能なアクセサリー１であって、略長方形状のシート状物であるたれ部２１と、たれ部２１の長辺よりも長辺が短い略長方形状のシート状物で、一方の短辺がたれ部２１の一方の短辺と連結される手部２２と、たれ部２１と手部２２との境界部分の近傍に配され、複数の紐状物を有する仮紐部２３を有する装飾部２と、たれ部２１と手部２２との境界部分の近傍に配され、装飾部２を被装飾物に着脱自在に取り付けるための取付部３とを備える。
【選択図】図１【図１】
0006799888.tif 000002
【図２】
0006799888.tif 000003
【図３】
0006799888.tif 000004
【図４】
0006799888.tif 000005
【図５】
0006799888.tif 000006
【図６】
0006799888.tif 000007
【図７】
0006799888.tif 000008
【図８】
0006799888.tif 000009
【図９】
0006799888.tif 000010
【図１０】
0006799888.tif 000011
【図１１】
0006799888.tif 000012
【図１２】
0006799888.tif 000013
【図１３】
0006799888.tif 000014